(57)【要約】【課題】  スレッダピン及び磁気テープ関連装置に関し、磁気テープカートリッジを用いる磁気テープ関連装置において、磁気テープカートリッジの種類が変わってもスレッダピンを取り替える必要がないようにすることを目的とする。【解決手段】  スレッダピンは、２種類の磁気テープカートリッジのリーダブロックのいずれの係合凹部にも嵌め合うことができるピン係合部３２を有し、該ピン係合部は、第１の磁気テープカートリッジのリーダブロックの係合凹部に嵌合する第１の円筒部分３２Ａと、第２の磁気テープカートリッジのリーダブロックの係合凹部に嵌合する第２の円筒部分３２Ｂとを有し、該第１及び第２の円筒部分の一方は複数の部品３８，４０で構成され、該複数の部品は振動や騒音を発生するリーダブロックの係合凹部とスレッダピンのピン係合部との心ずれを吸収するギャップを形成する構成とする。【選択図】      図４
2006018883.tif 000002
【特許請求の範囲】
【請求項１】
テープカートリッジを用いるテープ関連装置に用いられるスレッダピンであって、２種類のテープカートリッジのリーダブロックのいずれの係合凹部にも嵌め合うことができるピン係合部を有し、該ピン係合部をリーダブロックの係合凹部に係合することにより、リーダブロックにつながれたテープをテープカートリッジから引き出すことができるようにしたことを特徴とするスレッダピン。
【請求項２】
テープカートリッジを用いるテープ関連装置に用いられるスレッダピンであって、２種類のテープカートリッジのリーダブロックのいずれの係合凹部にも嵌め合うことができるピン係合部を有し、該ピン係合部は、第１のテープカートリッジのリーダブロックの係合凹部に嵌合する第１の円筒部分と、第２のテープカートリッジのリーダブロックの係合凹部に嵌合する第２の円筒部分とを有し、該第１及び第２の円筒部分の一方は複数の部品で構成され、該複数の部品は振動や騒音を発生するリーダブロックの係合凹部とスレッダピンのピン係合部との心ずれを吸収するギャップを形成することを特徴とするスレッダピン。
【請求項３】
第１の円筒部分の直径は第２の円筒部分の直径より大きく、前記複数の部品は、第１の円筒部分を構成し、軸部と、該軸部に緩く嵌合するリング部とからなることを特徴とする請求項２に記載のスレッダピン。
【請求項４】
第１の円筒部分は第２の円筒部分よりもスレッダピンの先端側にあることを特徴とする請求項３に記載のスレッダピン。
【請求項５】
請求項１から４のいずれか１項に記載のスレッダピンを備えることを特徴とするテープ関連装置。
【発明の詳細な説明】
【技術分野】
【０００１】
本発明はテープカートリッジを用いるテープ関連装置及びそれに使用されるスレッダピンに関する。
【背景技術】
【０００２】
コンピュータの外部記憶装置として用いられる磁気テープ記憶装置の一つでは、磁気テープカートリッジを用いる。この場合、磁気テープカートリッジを装置本体に搭載し、磁気テープカートリッジに配置されたリーダブロックをスレッダピンにより装置本体の内部に導き、リーダブロックにつながれた磁気テープを装置本体の内部に配置されたテープリールに導くようになっている。そこで、テープリールを回転させながら、磁気テープから情報を読み出し、あるいは磁気テープに情報を書きこむようになっている（例えば、特許文献１参照）。
【０００３】
リーダブロックとスレッダピンとを結合するために、リーダブロックは係合凹部を有し、スレッダピンはピン係合部を有し、スレッダピンのピン係合部をリーダブロックの係合凹部に嵌め合わせることができるようになっている。
【０００４】
磁気テープ装置では、その世代ごとに媒体の記録密度は異なり、特定の磁気テープ装置がリードライト可能な記録密度の磁気テープカートリッジ以外の磁気テープカートリッジをリードライト機構部にローディングしないようになっている。このために、磁気テープカートリッジの係合凹部の形状は磁気テープカートリッジの種類毎に変わっている。そして、磁気テープ装置のスレッダピンの形状も磁気テープカートリッジの種類毎に変わっている。従って、特定の磁気テープカートリッジはその使用を許容する特定の磁気テープ装置のみで使用されるようになっている。
【０００５】
こうしたリーダブロックの係合凹部の形状は１／２インチ磁気テープカートリッジの場合、１８トラック用と１２８トラック用の２種類が規格化されている。１８トラック用の磁気テープ装置には１８トラック用の磁気テープカートリッジしかローディングできず、１２８トラック用の磁気テープ装置には１２８トラック用の磁気テープカートリッジしかローディングできない。
【０００６】
磁気テープ記憶装置と関連して、磁気テープカートリッジを用いる磁気テープ関連装置がある。磁気テープ関連装置の一つに、例えば磁気テープクリーニング装置がある。磁気テープクリーニング装置は、磁気テープ記憶装置とはほとんど同じように構成されている。すなわち、磁気テープクリーニング装置と、磁気テープ記憶装置とは、リードライトヘッドとクリーニング機構とが入れ代わるだけで、テープローディング機構はほとんど同じである。従って、磁気テープクリーニング装置は、磁気テープカートリッジのリーダブロックの係合凹部と対応する形状のピン係合部をもったスレッダピンを含む。
【０００７】
磁気テープクリーニング装置では、磁気テープの記録密度等の違いに関わりなく磁気テープをクリーニングするだけでよいので、基本的には、磁気テープカートリッジの種類には関係がない。それにもかかわらず、クリーニングすべき磁気テープカートリッジの種類が変わると、磁気テープクリーニング装置のスレッダピンを取り替えなければならず、作業性の点で問題となる。また、クリーニングしようとする磁気テープカートリッジも種類毎に分別を必要とし、２重の意味で作業が煩雑になる。
【０００８】
【特許文献１】特開２００１−５６９８６号公報
【発明の開示】
【発明が解決しようとする課題】
【０００９】
本発明の目的は、テープカートリッジを用いるテープ関連装置において、テープカートリッジの種類が変わってもスレッダピンを取り替える必要がないようにしたスレッダピン、及びそのようなスレッダピンを含むテープ関連装置を提供することである。
【課題を解決するための手段】
【００１０】
本発明によるスレッダピンは、テープカートリッジを用いるテープ関連装置に用いられるスレッダピンであって、２種類のテープカートリッジのリーダブロックのいずれの係合凹部にも嵌め合うことができるピン係合部を有し、該ピン係合部をリーダブロックの係合凹部に係合することにより、リーダブロックにつながれたテープをテープカートリッジから引き出すことができるようにしたことを特徴とするものである。
【００１１】
また、本発明によるスレッダピンは、テープカートリッジを用いるテープ関連装置に用いられるスレッダピンであって、２種類のテープカートリッジのリーダブロックのいずれの係合凹部にも嵌め合うことができるピン係合部を有し、該ピン係合部は、第１のテープカートリッジのリーダブロックの係合凹部に嵌合する第１の円筒部分と、第２のテープカートリッジのリーダブロックの係合凹部に嵌合する第２の円筒部分とを有し、該第１及び第２の円筒部分の一方は複数の部品で構成され、該複数の部品は振動や騒音を発生するリーダブロックの係合凹部とスレッダピンのピン係合部との心ずれを吸収するギャップを形成することを特徴とするものである。
【００１２】
さらに、本発明によるテープ関連装置は上記した特徴を有するスレッダピンを含むものである。
【発明の効果】
【００１３】
上記構成によれば、単一のスレッダピンを２種類のテープカートリッジのリーダブロックのいずれとも一緒に使用することができる。
【００１４】
また、単一のスレッダピンを２種類のテープカートリッジのリーダブロックいずれとも一緒に使用することができるようにした場合、リーダブロックの係合凹部とスレッダピンのピン係合部との間の心ずれに起因して振動や騒音が発生することがあるが、この場合にも、スレッダピンのピン係合部は複数の部品で構成され、該複数の部品は互いの間にギャップを形成して、心ずれを吸収し、よって振動や騒音を防止するようになっている。
【発明を実施するための最良の形態】
【００１５】
以下本発明の実施例について図面を参照して説明する。図１は本発明に係わる磁気テープ関連装置の内部の一例を示す略図、図２は図１の磁気テープ関連装置に取付けられるスレッダ天板の例を示す略斜視図である。以下、磁気テープクリーニング装置を例として磁気テープ関連装置を説明する。
【００１６】
図１及び図２において、磁気テープ関連装置１０は、カートリッジ搭載部１２と、テープリール１４とを備える。磁気テープカートリッジ１６はカートリッジ搭載部１２に搭載される。テープリール１４は図示しない駆動手段により回転されるようになっている。さらに、磁気テープ関連装置１０は、複数のガイドローラ１８と、一対のテープクリーニング部材２０とを備える。一対のテープクリーニング部材２０の少なくとも一方は他方に向かって移動可能である。
【００１７】
磁気テープカートリッジ１６はリーダブロック２２を有する。リーダブロック２２は磁気テープカートリッジ１６内の磁気テープ３４（図６，８）につながれる。リーダブロック２２はスレッダピン２４に結合されるようになっている。スレッダ天板２６は図１に示す装置部分の上方に配置され、スレッダ溝２８を有する。スレッダピン２４はスレッダ溝２８内を垂直に通され、図示しない駆動手段によりスレッダ溝２８に沿って移動させられるようになっている。
【００１８】
スレッダピン２４はリーダブロック２２に結合され、リーダブロック２２を装置本体の内部へ導き、テープリール１４のスロット１４Ａに入る。スレッダピン２４はテープリール１４の回転中心に位置し、リーダブロック２２はスロット１４Ａ内でリーダブロック２２に隣接する位置におかれる。それによって、磁気テープ３４はガイドローラ１８のまわりのテープ経路を通り、回転するテープリール１４に巻き取られる。磁気テープ３４は一対のテープクリーニング部材２０の間を通り、クリーニングされる。逆に、磁気テープ３４はテープリール１４から繰り出されて磁気テープカートリッジに巻きとられ、スレッダピン２４はリーダブロック２２から解除される。
【００１９】
図３は本発明の実施例によるスレッダピンを示す平面図である。図４は図３のスレッダピンを示す部分拡大断面図である。図５は図４のスレッダピンを示す分解図である。図３から図５において、スレッダピン２４は、細いピン本体部３０と、ピン本体部３０の先端に設けられたピン係合部３２とを有する。ピン係合部３２は２種類の磁気テープカートリッジ１６のリーダブロック２２Ａ，２２Ｂの係合凹部３６Ａ，３６Ｂに嵌め合うことができるように形成されている。
【００２０】
ここで、図６から図９を参照して本発明が対象とする２種類の磁気テープカートリッジ１６のリーダブロック２２Ａ，２２Ｂについて説明する。図６はリーダブロック２２の一例２２Ａを示す斜視図である。図７は図６のリーダブロック２２Ａの線VII−VIIに沿った断面図である。磁気テープ３４の一端がリーダブロック２２Ａにつながれている。磁気テープ３４の他端は磁気テープカートリッジのテープリールにつながれる。磁気テープ３４は１／２インチ幅１８トラック磁気テープカートリッジの磁気テープである。
【００２１】
リーダブロック２２Ａは係合凹部３６Ａを有する。係合凹部３６Ａはスレッダピン２４のピン本体部３０が横方向から通ることができる垂直方向のスリット３６Ｇを有し、このスリット３６Ｇと連通して係合凹部３６Ａの内面に垂直方向に同軸に形成された、小径円筒内面部３６Ｈと大径円筒内面部３６Ｉとを有する。小径円筒内面部３６Ｈと大径円筒内面部３６Ｉとはテーパー部で接続されている。
【００２２】
スレッダピン２４のピン本体部３０が係合凹部３６Ａのスリット３６Ｇに挿入された後、磁気テープカートリッジ１６が垂直方向に移動することにより、スレッダピン２４のピン係合部３２がリーダブロック２２Ａの係合凹部３６Ａに嵌合する。
【００２３】
図８はリーダブロック２２の他の一例２２Ｂを示す斜視図である。図９は図８のリーダブロック２２Ｂの線IX−IXに沿った断面図である。磁気テープ３４の一端がリーダブロック２２Ｂにつながれている。磁気テープの他端は磁気テープカートリッジのテープリールにつながれる。磁気テープ３４は１／２インチ幅１２８トラック磁気テープカートリッジの磁気テープである。
【００２４】
リーダブロック２２Ｂは係合凹部３６Ｂを有する。係合凹部３６Ｂはスレッダピン２４のピン本体部３０が横方向から通ることのできる垂直方向のスリット３６Ｊを有し、このスリット３６Ｊと連通して係合凹部３６Ｂの内面垂直方向に形成された、円筒内面部３６Ｋとその下に位置する切りかけ部３６Ｌとを有する。円筒内面部３６Ｋの上にはテーパー部が設けられている。
【００２５】
スレッダピン２４のピン本体部３０が係合凹部３６Ｂのスリット３６Ｊに挿入された後、磁気テープカートリッジ１６が垂直方向に移動することにより、スレッダピン２４のピン係合部３２がリーダブロック２２Ｂの係合凹部３６Ｂに嵌合する。
【００２６】
図３から図５において、スレッダピン２４のピン係合部３２は、垂直方向に同軸に形成された、第１の大径円筒部分３２Ａと、第２の小径円筒部分３２Ｂとを有する。第１の大径円筒部分３２Ａが第２の小径円筒部分３２Ｂよりもスレッダピン２４の先端側にある。第１の大径円筒部分３２Ａと第２の小径円筒部分３２Ｂとはテーパー部で接続され、第２の小径円筒部分３２Ｂの上にはテーパー部が設けられている。
【００２７】
図６及び図７のリーダブロック２２Ａを有する磁気テープカートリッジ１６が使用される場合には、スレッダピン２４のピン係合部３２の第１の大径円筒部分３２Ａがリーダブロック２２Ａの係合凹部３６Ａの大径円筒内面部３６Ｉに嵌合するようになっている。リーダブロック２２Ａの係合凹部３６Ａの小径円筒内面部３６Ｈの直径はスレッダピン２４のピン係合部３２の第２の小径円筒部分３２Ｂの直径よりも大きい。
【００２８】
図８及び図９のリーダブロック２２Ｂを有する磁気テープカートリッジ１６が使用される場合には、スレッダピン２４のピン係合部３２の第２の小径円筒部分３２Ｂがリーダブロック２２Ｂの係合凹部３６Ｂの円筒内面部３６Ｋに嵌合するようになっている。
【００２９】
このようにして、本発明のスレッダピン２４は２種類の磁気テープカートリッジ１６のリーダブロック２２Ａ，２２Ｂのいずれの係合凹部３６Ａ，３６Ｂにも嵌め合うことができる。従って、１つのスレッダピン２４を異なったリーダブロック２２Ａ，２２Ｂに対して共用することができ、磁気テープカートリッジ１６の種類が変わっても、磁気テープ関連装置１０のスレッダピン２４を交換する必要がない。
【００３０】
さらに、スレッダピン２４のピン係合部３２の第１の大径円筒部分３２Ａは複数の部品で構成されている。実施例では、第１の大径円筒部分３２Ａは、軸部３８と、軸部３８に緩く嵌合するリング部４０とからなる。軸部３８とリング部４０との間には半径方向のギャップＧが形成される。実施例によれば、ギャップＧは０．２mmである。ギャップＧは、複数の部品３８，４０は振動や騒音を発生するリーダブロック２２の係合凹部３６とスレッダピン２４のピン係合部３２との心ずれを吸収する。
【００３１】
特に、図８及び図９のリーダブロック２２Ｂを有する磁気テープカートリッジ１６が使用される場合には、スレッダピン２４のピン係合部３２の第２の小径円筒部分３２Ｂがリーダブロック２２Ａの係合凹部３６Ａの円筒内面部３６Ｋに嵌合する。この場合、スレッダピン２４のピン係合部３２の第１の大径円筒部分３２Ａはリーダブロック２２Ｂの係合凹部３６Ｂの切りかけ部３６Ｌの壁面に近接して位置する。第１の大径円筒部分３２Ａと切りかけ部３６Ｌとの間の距離は小さく、互いに接触しやすい。
【００３２】
磁気テープ関連装置１０の作動中には、スレッダピン２４はテープリール１４の回転中心に位置し、リーダブロック２２はテープリール１４のスロット１４Ａ内でリーダブロック２２に隣接する位置におかれる。ここで、スレッダピン２４の中心が、テープリール１４の回転中心に対して偏心して位置している場合、スレッダピン２４のピン係合部３２の第１の大径円筒部分３２Ａがリーダブロック２２Ｂの係合凹部３６Ｂの切りかけ部３６Ｌの壁面に接触すると、スレッダピン２４につながる装置の機構部が衝撃を受け、その結果装置本体に振動及び異常音が発生する。そこで、軸部３８とリング部４０との間に半径方向のギャップＧを形成し、スレッダピン２４がテープリール１４の回転中心に対して偏心回転可能にしている。これにより、例えスレッダピン２４のピン係合部３２の第１の大径円筒部分３２Ａがリーダブロック２２Ｂの係合凹部３６Ｂの切りかけ部３６Ｌの壁面に接触したとしても、これらの部材間に遊びがあるので、衝撃がスレッダピンから直接装置の機構部に伝わらなくなり、振動や騒音が緩和される。
【産業上の利用可能性】
【００３３】
以上説明したように、本発明によれば、磁気テープカートリッジの種類に応じてリーダブロック引き出しのためのスレッダピンの形状を共用可能な形状とすることで、作業性、信頼性を高めることができる。また、スレッダピンのピン係合部は複数の部品で構成することにより、スレッダピンの回転中心の偏心の許容度が大きくなり、磁気テープ関連装置の使用時の振動、衝突、異常音の発生を抑制することができる。
【図面の簡単な説明】
【００３４】
【図１】図１は本発明に係わる磁気テープ関連装置の内部の一例を示す略図である。
【図２】図２は図１の磁気テープ関連装置に取付けられるスレッダ天板の例を示す略斜視図である。
【図３】図３は本発明の実施例によるスレッダピンを示す平面図である。
【図４】図４は図３のスレッダピンを示す部分拡大断面図である。
【図５】図５は図４のスレッダピンを示す分解図である。
【図６】図６はリーダブロックの一例を示す斜視図である。
【図７】図７は図６のリーダブロックの線VII−VIIに沿った断面図である。
【図８】図８はリーダブロックの他の一例を示す斜視図である。
【図９】図９は図８のリーダブロックの線IX−IXに沿った断面図である。
【符号の説明】
【００３５】
１０    磁気テープ関連装置
１２    カートリッジ搭載部
１４    テープリール
１６    磁気テープカートリッジ
１８    ガイドローラ
２０    テープクリーニング部材
２２    リーダブロック
２４    スレッダピン
２６    スレッダ天板
２８    スレッダ溝
３０    ピン本体部
３２    ピン係合部
３４    磁気テープ
３６    係合凹部
３８    軸部
４０    リング部
【図１】
2006018883.tif 000003
【図２】
2006018883.tif 000004
【図３】
2006018883.tif 000005
【図４】
2006018883.tif 000006
【図５】
2006018883.tif 000007
【図６】
2006018883.tif 000008
【図７】
2006018883.tif 000009
【図８】
2006018883.tif 000010
【図９】
2006018883.tif 000011